(57)【要約】【課題】光モジュールにおいて、複数のレーザ駆動時の放熱性の向上と熱変形による焦点ずれ抑制することで、３色のビームスポットの大きさを一定にし、相対位置ずれを低減する。【解決手段】複数のレーザを搭載し前記複数のレーザからのビーム光を照射する光モジュールにおいて、該光モジュールを搭載するケースとレーザおよびレーザを搭載するレーザホルダとレンズおよびレンズを搭載するレンズホルダとケースと異なる材質のレンズ取付部材とを有し、前記レーザはレーザホルダを介して前記ケースに密着させて取付ける。レンズはレンズ取付部材を介してレンズホルダに取付け、更にレンズホルダをケースに取付けることを特徴とする。【選択図】図３
2014182316.tif 000002
【特許請求の範囲】
【請求項１】
複数のレーザと、前記複数のレーザからのビーム光を照射するための複数のレンズとを有し、
前記複数のレーザと前記複数のレンズを搭載するケースと、
前記複数のレーザのうちの少なくとも一つのレーザを搭載する少なくとも一つのレーザホルダと、
前記複数のレンズのうちの少なくとも一つのレンズを搭載する少なくとも一つのレンズホルダと、
前記ケースと異なる材質の少なくとも一つのレンズ取付部材とを有し、
前記少なくとも一つのレーザは、前記少なくとも一つのレーザホルダを介して前記ケースに取付けられ、
前記少なくとも一つのレンズは、前記少なくとも一つのレンズ取付部材を介して前記少なくとも一つのレンズホルダに取付けられ、
前記少なくとも一つのレンズホルダが前記ケースに取付けられていることを特徴とする光モジュール。
【請求項２】
請求項１において、
前記少なくとも一つのレーザは、前記少なくとも一つのレーザホルダを介して前記ケースに密着させて取付けられていることを特徴とする光モジュール。
【請求項３】
請求項１または請求項２において、
前記少なくとも一つのレンズ取付部材は、前記ケースと線膨張率の異なる材質であることを特徴とする光モジュール。
【請求項４】
請求項１乃至請求項３のいずれか１項において、
前記ケースと前記少なくとも一つのレーザホルダと前記少なくとも一つのレンズホルダが同一材質であり、
前記少なくとも一つのレンズ取付部材が前記同一材質とは異なる材質であることを特徴とする光モジュール。
【請求項５】
請求項１乃至請求項４のいずれか１項において、
前記少なくとも一つのレンズ取付部材において、レンズを搭載する面とレンズホルダに取付ける面の両面に３点突起を対で有することを特徴とする光モジュール。
【請求項６】
請求項５において、
前記３点突起の両面の対となる突起を結ぶ同一軸上を押さえるばねを有し、該ばねによって、前記少なくとも一つのレンズが、前記少なくとも一つのレンズ取付部材を介して前記少なくとも一つのレンズホルダに取付けられていることを特徴とする光モジュール。
【請求項７】
請求項１乃至請求項４のいずれか１項において、
前記少なくとも一つのレンズホルダのレンズ搭載面に３点の突起を有し、前記少なくとも一つのレンズの取付けに用いるばねにも３点の突起を有し、前記少なくとも一つのレンズが、前記ばねで前記少なくとも一つのレンズ取付部材を介して、前記少なくとも一つのレンズホルダに押しつけて取付けられていることを特徴とする光モジュール。
【請求項８】
請求項７において、
前記少なくとも一つのレンズホルダのレンズ搭載面に３点の突起と、前記少なくとも一つのレンズの取付けに用いるばねの３点の突起とが、それぞれ１点ずつ同一軸上にあることを特徴とする光モジュール。
【請求項９】
請求項１乃至請求項８のいずれか１項において、
前記少なくとも一つのレンズホルダにＶ字状の溝を有し、前記少なくとも一つのレンズの側面を押さえるばねを有することを特徴とする光モジュール。
【請求項１０】
請求項１乃至請求項９のいずれか１項記載の光モジュ−ルと、
画像入力信号を受け付けて前記光モジュ−ルを制御する制御部とを有し、前記複数のレーザの発光を制御して画像を表示することを特徴とする走査型画像表示装置。
【発明の詳細な説明】
【技術分野】
【０００１】
本発明は、光モジュールおよび走査型画像表示装置に関し、例えば、複数のレーザからのビーム光を１つの光軸上に整列して射出する光モジュール、および、光モジュールからの光ビームを画像表示する走査型画像表示装置に関する。
【背景技術】
【０００２】
従来、単一光源を有する装置として、例えば、特開２０００−１９４４５号公報（特許文献１）および特開平８−１４６３５２号公報（特許文献２）がある。
【０００３】
特許文献１には、光走査装置に関し、例えばレーザプリンタや製版用出力スキャナに用いられ、感材面を光走査することによって画像を描く光走査装置に関して、コリメータレンズである凹レンズと凸レンズ間の距離が環境温度の変化によって生じる位置ずれを補償する温度補償部材を設ける記載がある。
【０００４】
また、特許文献２には、レーザプリンタやレーザファクシミリあるいはデジタル複写機等の画像形成装置の走査光学装置等に用いる光源装置において、レーザとコリメータ間の温度上昇時の熱歪によるピントずれを、レーザ側に設けた絶縁材により解消する記載がある。
【０００５】
さらに近年、手軽に持ち歩きが可能で、大きな画面で表示できる小型プロジェクタの開発が盛んである。すでにノートＰＣなどに接続できる小型のプロジェクタや、記録画像を投射できるプロジェクタを内蔵したビデオカメラなどが市販されており、今後、携帯電話やスマートフォンに内蔵するものも登場すると思われる。
【０００６】
プロジェクタの方式としては、光源にランプやＬＥＤなどを用い、液晶パネルやデジタルマイクロミラーデバイス（ＤＭＤ）で表示した画像を投射するタイプが先行しているが、光源にレーザを用いて、１本のビーム光を可動ミラーにより走査して表示するレーザプロジェクタ（走査型画像表示装置）も開発が進められている。光源にレーザ光を用いるため、焦点合わせの必要がなく、且つ画像の輝度を上げることが容易で、外出先で手ごろな壁に投射するという用途に適していると考えられている。
【０００７】
また、画像の高輝度を生かして自動車などに搭載しフロントガラスに投射、ナビゲートの表示などのヘッドアップディスプレイへの展開も考えられている。
【０００８】
これらは、例えば、赤、緑、青の３色のレーザを用い、３色のレーザビームを１本の軸に沿って進む合成ビームに結合するビーム結合部と、合成ビームの偏向方向を走査するビームスキャナを有し、カラー画像を表示できる走査型画像表示装置である。
【先行技術文献】
【特許文献】
【０００９】
【特許文献１】特開２０００−１９４４５号公報
【特許文献２】特開平８−１４６３５２号公報
【発明の概要】
【発明が解決しようとする課題】
【００１０】
上記のような複数のビーム光を用いた光モジュールやそれを有する走査型画像表示装置においては、複数のビーム光、例えば、３色のビーム光をスクリーン上のスポットを精度よく一致させ、且つ動作中や環境温度の変化などによる外乱に対してスポットの位置を保ち焦点を結ぶことが重要である。
【００１１】
スポットの焦点がずれると、スクリーンなどの表示領域上での各色のスポットの大きさや位置がずれて画像がにじむ、ぼけるなどの課題がある。
【００１２】
従って光モジュールの組立時には、３色の光軸が合うように調整して組み立てる必要がある。また、走査型画像表示装置の使用時には、レーザの発熱などにより温度が上昇するため、レーザの放熱性の確保が必要である。温度上昇は熱変形の要因になるため、熱変形時の光学部品の位置ずれによる光軸のずれも考慮する必要がある。
【００１３】
光源に用いるレーザとしては、ＣＡＮパッケージと呼ばれる円筒形の金属パッケージの製品が主流である。円筒形のベースの先に、半円筒形のヒートシンクを接続し、ヒートシンクの平らな面に、サブマウントを介してレーザチップを接合し、キャップで覆った構造となっている。
【００１４】
こうしたレーザの発熱の放熱は、円筒形のベースより放熱部への熱パスを設けるのが一般的である。レーザの発熱や環境温度による温度上昇により熱変形が生じ、レーザの発光点とレンズ間距離が変位する課題がある。レーザとレンズをケースに取り付ける限りケースの線膨張係数により、温度上昇時はレーザの発光点とレンズ間距離が大きく、温度下降時は前記距離が小さくなる。前記現象により、スクリーン上でスポットが焦点を結べず、スポットが大きくなったり、位置がずれたりするなどの課題がある。
【００１５】
本発明の目的は、スクリーンなどの表示領域上でのスポットの位置や焦点ずれを小さくでき、光学部品の取付構造を備えた小型の光モジュールおよび走査型画像表示装置を提供することにある。
【課題を解決するための手段】
【００１６】
上記課題を解決するために、例えば特許請求の範囲に記載の構成を採用する。本願は上記課題を解決する手段を複数含んでいるが、その一例を挙げるならば、複数のレーザと、前記複数のレーザからのビーム光を照射するための複数のレンズとを有し、前記複数のレーザと前記複数のレンズを搭載するケースと、前記複数のレーザのうちの少なくとも一つのレーザを搭載する少なくとも一つのレーザホルダと、前記複数のレンズのうちの少なくとも一つのレンズを搭載する少なくとも一つのレンズホルダと、前記ケースと異なる材質の少なくとも一つのレンズ取付部材とを有し、前記少なくとも一つのレーザは、前記少なくとも一つのレーザホルダを介して前記ケースに取付けられ、前記少なくとも一つのレンズは、前記少なくとも一つのレンズ取付部材を介して前記少なくとも一つのレンズホルダに取付けられ、前記少なくとも一つのレンズホルダが前記ケースに取付けられていることを特徴とする。
【発明の効果】
【００１７】
本発明によれば、レーザ駆動時の発熱などにより温度が上昇した際にも、熱変形に起因するレーザの焦点ずれや光軸のずれを小さくでき、スクリーン上のレーザスポットの大きさを一定又は所定の大きさにでき相対位置ずれを小さくした光モジュールおよび走査型画像表示装置を提供できる。
【００１８】
上記した以外の課題、構成及び効果は、以下の実施形態の説明により明らかにされる。
【図面の簡単な説明】
【００１９】
【図１】本発明の実施例に係わる走査型画像表示装置の第１の全体構成図である。
【図２】レーザの温度上昇による発光点とレンズ間距離の変位の原理説明図。
【図３】本発明の第１の実施例に係わるレーザおよびレンズ周辺部の断面図
【図４】本発明の第２の実施例を示す斜視図である。
【図５】本発明の第３の実施例を示す斜視図である。
【図６】本発明の第４の実施例を示す斜視図である。
【発明を実施するための形態】
【００２０】
以下、本発明の実施例を、図面を用いて説明する。なお、同一の符号を付された構成は、同一の機能を有するので、既に説明されている場合それらの説明は省略することがある。
【００２１】
また、必要な図面には、各部の位置の説明を明確にするために、x軸、y軸及びz軸からなる直交座標軸を記載している。
【実施例１】
【００２２】
図１は本発明の第１の実施例に係る走査型画像表示装置の構成図である。
【００２３】
図１において、光モジュール１０１は、ケース９に赤（Ｒ）／緑（Ｇ）／青（Ｂ）の３色それぞれに対応するレーザ光源となる第１レーザ１ａ、第２レーザ１ｂ、第３レーザ１ｃと、各レーザ光源から発せられたビーム光の焦点を結ぶ第１レンズ２ａ、第２レンズ２ｂ、第３レンズ２ｃと、前記ビームを結合させる第１ミラー３ａと第２ミラー３ｂからなるビーム結合部を有するレーザ光源モジュール１００を取付けられている。また、前記結合したビーム光をスクリーン１０９へ投射する投射部と、投射するビーム光をスクリーン１０９上で２次元的に走査する走査部とを有する。投射部には、１／４波長板１１１、画角拡大素子１１２などを有する。
【００２４】
表示する画像入力信号１１６は、電源等を含む制御回路１０２を経由してビデオ信号処理回路１０３に入力する。ビデオ信号処理回路１０３では入力される画像信号に対し各種の処理を施した後に、Ｒ／Ｇ／Ｂの３色信号に分離してレーザ光源駆動回路１０４に送る。レーザ光源駆動回路１０４では、Ｒ／Ｇ／Ｂの各信号の輝度値に応じて、レーザ光源モジュール１００内の対応するレーザに対して発光用の駆動電流を供給する。その結果レーザは、表示タイミングに合わせてＲ／Ｇ／Ｂ信号の輝度値に応じた強度のビーム光を出射する。
【００２５】
また、ビデオ信号処理回路１０３は、画像信号から同期信号を抽出して走査ミラー駆動回路１０５に送る。走査ミラー駆動回路１０５は、水平・垂直同期信号に合わせて光モジュール１０１内の走査ミラー１１３に対しミラー面を２次元的に反復回転させる駆動信号を供給する。これにより走査ミラー１１３は、ミラー面を所定の角度だけ周期的に反復回転してビーム光を反射させ、スクリーン１０９上に水平方向および垂直方向に光ビームを走査して画像を表示する。
【００２６】
フロントモニター信号検出回路１０６は、フロントモニター１１４からの信号を入力して、レーザから出射されるＲ／Ｇ／Ｂそれぞれの出力レベルを検出する。検出された出力レベルは、ビデオ信号処理回路１０３に入力され、所定の出力になるようレーザの出力が制御される。
【００２７】
走査ミラー１１３には、例えばＭＥＭＳ（Micro Electro Mechanical Systems）技術を用いて作成された２軸駆動ミラーを用いることができる。駆動方式としては、圧電、静電、電磁駆動のものなどがある。また、１軸駆動のスキャンミラーを２つ用意し、互いに直交する方向にビーム光を走査できるように配置してもよい。図１において、結合したビーム光は、反射ミラー１１５を介して走査ミラー１１３へ送られる。
【００２８】
まず図２を用いて、レーザ駆動の温度上昇によるレーザの発光点とレンズ間距離の変位の原理を説明をする。
【００２９】
レーザ１（図１記載の第１レーザ１ａ、第２レーザ１ｂおよび第３レーザ１ｃのいずれか１つに対応する。）は、図２においてステムベース１０とステムカバー１１、およびステムカバー１１の先端に設置される透明な窓部１２により保護された構造となっている。レーザの内部構造は、円柱形のステムベース１０に、円筒を切り取った形状のヒートシンク１４が接合されており、その平坦面にサブマウント１５を介してレーザチップ１６が接合されている。レーザチップ１６の先端にある発光点１７がレーザ１のほぼ中心線上に位置するように構成されている。
【００３０】
これらの材質としては、例えばレーザチップ１６はガリウムヒ素、サブマウント１５は窒化アルミ、ヒートシンク１４は銅、ステムベース１０およびステムカバー１１は鉄、窓部１２はガラスなどが用いられる。
【００３１】
前記レーザ１は組立や調整等のハンドリングを良くするため、レーザホルダ１８に取り付けられている。また、レーザ１駆動時の発熱の放熱性確保のため、レーザ１はレーザホルダ１８に圧入や隙間を接着剤等で埋めて取付けられている。更に前記レーザホルダ１８もケース９に密着して取り付けられている。レーザ１の放熱性を確保しないと、レーザ１駆動時に温度が上昇しレーザ１の動作保証温度範囲外となる。レーザ１の動作保証温度を外れると、温度依存によるレーザ波長変動により各色の視感度に差が生じ、画面全体が赤っぽくなったりするなどの画像の色ずれを引き起こす、またレーザ出力の低下、寿命の短命化の要因ともなる。ここで、レーザホルダ１８はケース９に密着して取り付けられているが、レーザホルダ１８とケース９との間に別の熱伝導性の部材を介在してもよい。
【００３２】
一方、レンズ２（図１記載の第１レンズ２ａ、第２レンズ２ｂ、第３レンズ２ｃのいずれか１つに対応する。）は、組立や調整等のハンドリングを良くするため、レンズホルダ１９に取り付けられている。このレンズホルダ１９を光軸方向、図中ではｙ方向に移動することによって、レーザ１の発光点１７とレンズ中心２０の距離２１を移動させ、焦点を調整する。また、レンズ２調整後は、レンズホルダ１９が移動しないように、ケース９に接着剤やばねなどで固定されている。
【００３３】
前記構成でレーザ１を駆動すると、レーザ１の発熱はレーザホルダ１８を介してケース９に熱が伝導する。ケース９に伝わった熱はレンズホルダ１９を介してレンズ２まで熱が伝導する。その際、各部品の温度が上昇すると各部品が膨張し、レーザ１の発光点１７とレンズ中心２０の距離２１が大きくなる方向に変位する。この変位により、スクリーン上でのスポットで焦点が結べず、スポットが大きくなる、位置がずれる課題がある。
【００３４】
また、レーザ駆動時の温度上昇に関して述べたが、環境温度による温度上昇や温度下降時にも同様の課題が発生する。なお、図２においては、レーザのビームが射出される方向をｙ方向、レーザチップ１６がヒートシンク１４に搭載される方向をｚ方向と呼ぶこととする。
【００３５】
以下、本発明の実施例に係わるレーザ光源モジュール１００（図１参照）について説明する。
【００３６】
図３は第１の実施例に係わるレーザおよびレンズ周辺部の断面図である。前述の図２と同様に、レーザ１は、ステムベース１０とステムカバー１１、ステムベース１０にヒートシンク１４が接合されており、その平坦面にサブマウント１５を介してレーザチップ１６が接合されている。
【００３７】
前記レーザ１はレーザホルダ１８に取り付けられ、レーザ１駆動時の発熱の放熱性確保のため、レーザ１はレーザホルダ１８に圧入や隙間を接着剤等で埋めて取付けられている。更に前記レーザホルダ１８もケース９に密着して取り付けられている。
【００３８】
一方レンズ２はレンズホルダ１９に取り付けられ、レンズホルダ１９を光軸方向、図中ではｙ方向に移動することによって、レーザ１の発光点１７とレンズ中心２０の距離２１を移動させ、焦点を調整する。また、レンズ１調整後は、レンズホルダ１９が移動しないように、ケース９に接着剤やばねなどで固定されている。
【００３９】
ここでは、レーザ駆動に伴う放熱性の確保と熱変形を抑制するため、ケース９とレーザホルダ１８とレンズホルダ１９を、例えばマグネシウムダイカストなど熱伝導率のよい材質でケース９を放熱部として用い放熱性を確保、且つ同一材質で異種材質によるバイメタル効果による熱変形を抑制する。
【００４０】
前記構成でレーザ１を駆動すると、レーザ１の発熱により各部品の温度が上昇し各部品が膨張、レーザ１の発光点１７とレンズ中心２０の距離２１が大きくなる方向に変位する。この変位を打ち消すように、ケース９より線膨張係数が大きな異種材質でプレート状の部材２２を介して、レンズ２をレンズホルダ１９に取付ける。前記部材２２が温度上昇に伴って膨張することにより距離２１を狭める方向２３方向にレンズ１が変位、先のケース９の膨張の変位を打ち消す方向に働く。部材２２の効果により、レーザ１駆動による温度上昇時のレーザ１の発光点１７とレンズ中心２０の距離２１を一定又は所定の距離に保つことができる。
【００４１】
その際、部材２２はレーザ１の発光点１７とレンズ中心２０の距離２１が大きくなるのを打ち消すためにレンズ２の取付けはレーザ１から遠い側に部材２２を配置し、レンズホルダ２２に取り付ける必要がある。ここで、レーザ１側は放熱性を確保するため部材２２の様な線膨張係数の高い部材（例えば樹脂部材）を配置することはできない。レーザ１の温度上昇をまねき、レーザ性能の劣化や画質の劣化につながるためである。
【００４２】
前記構成を用いることにより、レーザ１駆動時のレーザ１の発光点１７とレンズ中心２０の距離２１を一定又は所定の距離に保ち、レーザの焦点ずれや光軸のずれ小さくでき、スクリーン上のレーザスポットの大きさを一定又は所定の大きさにでき相対位置ずれを小さくした光モジュールを備えた走査型画像表示装置を提供できる。
【００４３】
ここで、レンズ２は、コリメータレンズなどを指す。また、部材２２は、図３に示すように、断面形状が長方形のプレート状部材であるが、後述するように、リング状の形状であってもよい。
【００４４】
また、実施例では、複数のレーザのうち一つのレーザおよび複数のレンズのうち一つのレンズに着目して説明しているが、複数のレーザのうちの他のレーザおよび複数のレンズのうちの他のレンズへも同様の技術思想に基づいて適用できる。
【実施例２】
【００４５】
図４は、本発明の第２の実施例を示す斜視図である。この図４を用いて、ケース９より線膨張係数が大きな異種材質を有する部材２２に関する変形例である部材２５の構造を説明する。
【００４６】
レーザ１は組立や調整等のハンドリングを良くするため、レーザホルダ１８に取り付けられている。また、レーザ１の駆動時の発熱の放熱性確保のため、レーザ１はレーザホルダ１８に圧入や隙間を接着剤等で埋めて取付けられている。前記レーザホルダ１８もケース９に密着して取り付けられている。
【００４７】
一方レンズ２は、組立や調整等のハンドリングを向上するため、レンズホルダ１９に取り付けられている。このレンズホルダ１９を光軸方向（図中ではｙ方向）に移動することによって、レーザ１の発光点１７とレンズ中心２０の距離２１を移動させ、焦点を調整する。そのため、レンズホルダ１９が光軸方向のみ移動できるようにケース９にＶ字状の溝２４が設けられ、その上をレンズホルダ１９が移動できる構造となっている。
【００４８】
レンズ２は、リング状のプレートで両面に３点の突起３１ａ〜３１ｃ、３２ａ〜３２ｃを設けた部材２５を介して、レンズホルダ１９に対して、ばね３３（図中では破線で記）で取り付けられている。この構成は、レンズホルダ１９に対して、レンズ２のレーザ光源側の表面が、光軸方向へ飛び出している場合に固定する場合に特に適した構成である。
【００４９】
この部材２５の突起は、レンズ２の搭載面とレンズホルダ取付面の両面で、例えば突起３１ａと突起３２ａで一対に同一軸上に配置され、レンズホルダ１９とレンズ２の搭載面に部材２５を安定に取り付けられる構造となっている。部材２５が安定に取り付けられると、レーザ駆動による発熱の温度上昇などの外乱によるレンズ１の傾きや変位を抑えることができる。
【００５０】
更に、この対の突起３１ａ〜３１ｃ、３２ａ〜３２ｃを結ぶ方向にばね３３を３ケ所３４ａ〜３４ｃでレンズ２側からレンズホルダ１９に押しつける構造とすると、部材２２のばね押さえによる変形を小さくすることができ、レンズ１の傾きや変位を抑えることができる。
【００５１】
レーザ１の発光点１７とレンズ中心２０の距離２１を一定又は所定の距離にでき且つレンズ１の傾きや変位を抑えることで、スクリーン上のスポットの大きさを一定又は所定の大きさにでき相対位置ずれを小さくしたレーザ光源モジュールを備えた走査型画像表示装置を提供できる。
【００５２】
ここで、部材２５のレンズ取付平面方向（図中zx平面）の一部に突起や切欠きを、レンズホルダ１９に応じて設けることにより、部材２５の回転を抑制し、ばねを抑える位置がずれないようにしても良い。前記レンズ取付平面方向突起により突起３１ａ〜３１ｃ、３２ａ〜３２ｃとばね押さえ位置が一致することにより、部材２５のばね３３押さえによる変形を小さくすることができ、レンズ１の傾きや変位を抑えることができる。
【実施例３】
【００５３】
図５は第３の実施例に係わる部材２２および部材２２の周囲の構造である。
【００５４】
第２の実施例の図４で示した部材２５の突起３１ａ〜３１ｃに代わりレンズホルダ３５側に突起３６ａ〜３６ｃに設け、同様に第２の実施例の図４で示した部材２５の突起３２ａ〜３２ｃに代わり、ばね３７側に突起３８ａ〜３８ｃに設けた。ここでは、部材２２はリング状のプレート状とした。
【００５５】
前記構造で部材２２が安定に取り付けられ、レーザ１駆動による発熱の温度上昇などの外乱によるレンズ１の傾きや変位を抑えることができる。レンズホルダ３５に突起３６ａ〜３６ｃとばね３７に突起３８ａ〜３８ｃ突起を設けると、突起３６ａ〜３６ｃ、３８ａ〜３８ｃの位置が、部材２２の一部にレンズ取付平面方向（図中zx平面）に突起や切欠きを設けることなく一致でき、部材２２のばね押さえによる変形を小さくすることがでる。
【００５６】
前記構造により第２の実施例と同様に、レーザ１の発光点１７とレンズ中心２０の距離２１を一定又は所定の距離にでき且つレンズ１の傾きや変位を抑えることで、スクリーン上のレーザスポットの大きさを一定又は所定の大きさにでき相対位置ずれを小さくした光モジュールを備えた走査型画像表示装置を提供できる。
【実施例４】
【００５７】
図６は第４の実施例に係わる部材２２および部材２２の周囲の構造である。
【００５８】
レンズホルダ３９が光軸方向のみ移動できるようにケース９側はＶ字状の溝２４が設けられ、その上をレンズホルダ３９が移動できる構造とした。このＶ字状の溝２４と同様の溝４３をレンズホルダ３９に設け、レンズ２をＶ字状の溝４３にばね４０で押さえて取り付ける。そのため、ばね４０にレンズ側面を押さえる構造の押さえ部４２を設け、第３の実施例の突起３６ａ〜３６ｃと同様の突起４１ａ〜４１ｃを設けている。また、レンズホルダ３９は、ばね４０の押さえ部４２が通るようにレンズホルダ３９に穴を設けた。レンズ１をＶ字状のレンズホルダ３９の溝４３に押しつけて取付けることにより、光軸を法線とする平面（ｚｘ平面）に変位しない構造となる。従って、レーザ１の発光点１７とレンズ中心２０の距離２１を一定又は所定の距離にでき且つレンズ２の傾きや変位を抑えることで、スクリーン上のレーザスポットの大きさを一定又は所定の大きさにできるので、相対位置ずれを小さくした光モジュールを備えた走査型画像表示装置を提供することができる。特に小型化された光モジュール及び走査型画像表示装置に適した構造を提供することができる。
【００５９】
なお、本発明はレーザを用いた光モジュールに関して記載したものであるが、光源としてレーザ以外のＬＥＤ(Light Emitting Diode(発光ダイオード))やランプなどを用いたや光モジュールとしてもよい。
【００６０】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００６１】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。 
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００６２】
１ａ…第１レーザ、１ｂ…第２レーザ、１ｃ…第３レーザ、２ａ…第１レンズ、２ｂ…第２レンズ、２ｃ…第３レンズ、３ａ…第１ミラー、３ｂ…第２ミラー、９…ケース、１０…ステムベース、１１…ステムカバー、１２…窓部、１４…ヒートシンク、１５…サブマウント、１６…レーザチップ、１７…発光点、１８…レーザホルダ、１９…レンズホルダ、２０…レンズ中心、２１…距離、２２…部材、２３…方向、２４…溝、２５…部材、３１ａ〜３１ｃ…突起、３２ａ〜３２ｃ…突起、３３…ばね、３４ａ〜３４ｃ…場所、３５…レンズホルダ、３６ａ〜３６ｃ…突起、３７…ばね、３８ａ〜３８ｃ…突起、３９…レンズホルダ、４０…ばね、４１ａ〜４１ｃ…突起、４２…押さえ部、４３…溝、１００…レーザ光源モジュール、１０１…光モジュール、１０２…制御回路、１０３…ビデオ信号処理回路、１０４…レーザ光源駆動回路、１０５…走査ミラー駆動回路、１０６…フロントモニター信号検出回路、１０９…スクリーン、１１１…１／４波長板、１１２…画角拡大素子、１１３…走査ミラー、１１４…フロントモニター、１１５…反射ミラー。
【図１】
2014182316.tif 000003
【図２】
2014182316.tif 000004
【図３】
2014182316.tif 000005
【図４】
2014182316.tif 000006
【図５】
2014182316.tif 000007
【図６】
2014182316.tif 000008